(57)【要約】【課題】解錠したあとの施錠忘れを防止する。【解決手段】引き違い窓の一方の窓の窓枠に取り付けられると共に、進退自在なデッドボルトを有する施錠装置本体と、上記引き違い窓の他方の窓のガラス面に取り付けられ、上記施錠装置本体から突出した上記デッドボルトと係合することで上記引き違い窓の施錠を行う受座とからなる窓施錠装置である。デッドボルトが受座に係合した状態で操作部が操作されると、デッドボルトを後退させて上記引き違い窓を解錠すると共に、上記音発生部から報知音を発する解錠モードとなる。この解錠モードになると、一定の間隔で報知音を自動発報する。報知音の発報によって、カーテンなどしまったりしていたとしても解錠状態となっていることを気付かせることができる。【選択図】  図１０
2010203190.tif 000002
【特許請求の範囲】
【請求項１】
引き違い窓の一方の窓の窓枠に取り付けられると共に、進退自在なデッドボルトを有する施錠装置本体と、上記引き違い窓の他方の窓のガラス面に取り付けられ、上記施錠装置本体から突出した上記デッドボルトと係合することで上記引き違い窓の施錠を行う受座とからなる窓施錠装置であって、
上記施錠装置本体は、
上記デッドボルトの進退動作を司る施錠機構部と、
上記施錠機構部を作動させる操作部と、
上記操作部の操作に関連した操作音、施錠状態で、警戒中に発する警報音および上記引き違い窓が開いているときの報知音をそれぞれ発する音発生部と、
上記引き違い窓の開閉状態を検知する窓開閉検知部と、
上記操作部、窓開閉検知部からの信号に基づいて上記施錠機構部および音発生部を制御する制御部とを備え、
上記制御部では、
上記デッドボルトが上記受座に係合した状態で上記操作部が操作されると、上記デッドボルトを後退させて上記引き違い窓を解錠すると共に、上記音発生部から報知音を発する解錠モードとなり、
上記解錠モードにあるときで上記操作部が操作されたときに、上記窓開閉検知部が上記引き違い窓の閉じ状態を検知したときには、上記デッドボルトを突出させて上記引き違い窓を施錠すると共に、上記警報音を発報可能な状態に遷移させる施錠モードとなり、
上記解錠モードにあるときで上記操作部が操作されたときに、上記窓開閉検知部が上記引き違い窓の開状態を検知したときには、上記デッドボルトを突出させることなく上記報知音の発報を停止する報知音停止モードとなるように、上記施錠機構部および音発生部を制御する
ことを特徴とする窓施錠装置。
【請求項２】
上記制御部において、
上記報知音停止モードにあるときで上記操作部が操作されたときに、上記窓開閉検知部が上記引き違い窓の閉じ状態を検知したときには、上記デッドボルトを突出させて上記施錠モードに遷移し、
上記窓開閉検知部が上記引き違い窓の開状態を検知したときには、上記報知音停止モードを維持する制御がなされる
ことを特徴とする請求項１記載の窓施錠装置。
【発明の詳細な説明】
【技術分野】
【０００１】
この発明は窓施錠装置に関する。特に引き違い窓用の防犯装置として使用される窓施錠装置であって、解錠したときには施錠されていないことを知らせる報知音を報知することで、解錠後の施錠忘れを確実に防止できるようにしたものである。
【背景技術】
【０００２】
戸建てやマンションにあっては鍵をかけることで防犯効果が得られる。犯人が最も侵入し易い場所は窓である。したがって窓の防犯は重要である。窓に対する防犯設備として最も効果が期待されるのは窓に設置されている施錠機構であり、さらに効果が得られるのは補助錠を使用することである。２つの施錠機構で防犯効果を高めることができる。
【０００３】
補助錠としての窓施錠装置としては特許文献１が知られている。特許文献１に開示された技術は引き違い窓に窓施錠装置が適用されている。
【０００４】
この窓施錠装置は、引き違い窓のうち一方の窓（内側窓）の窓枠側に取り付けられる施錠装置本体と、他方の窓（外側窓）であって、施錠装置本体と対峙する面（窓ガラス面）側に取り付けられる受座とで構成される。
【０００５】
施錠装置本体には進退自在なデッドボルトが設けられ、一方受座にはこのデッドボルトに係合するストライク穴が穿設され、デッドボルトを前進させてデッドボルトをストライク穴に係合させることで引き違い窓が施錠される。解錠するには、施錠装置本体に設けられた操作ボタンを操作してデッドボルトを後退させればよい。
【０００６】
引き違い窓を開けてベランダに出たり、庭に降りて作業することは日常において頻繁に行われる。その都度、引き違い窓を解錠することになるが、日常の生活では解錠した後の施錠を忘れることがしばしば起きる。
【０００７】
この補助錠の施錠忘れを防止することも重要である。施錠忘れを防止するため従来では、施錠状態を示す表示部を設けたものが提案されている（例えば、特許文献２）。
【０００８】
表示部には、現在の施錠状態がどのような状態であるかが表示される。そのため表示内容を確認することで施錠忘れを防止することができる。
【先行技術文献】
【特許文献】
【０００９】
【特許文献１】特開２００７−１０７３４０号公報
【特許文献２】特開２００８−２７４６６９号公報
【発明の概要】
【発明が解決しようとする課題】
【００１０】
ところで、特許文献２に開示された施錠忘れ防止手段では、表示部の内容を確認しない限り、施錠されているかどうかの判断がつかない。しかし、窓にはその室内側にレースのカーテンや、厚手のカーテンが取り付けられているので、特に厚手のカーテンが引かれているときには表示部の内容を確認するのが困難である。薄手のレースカーテンであっても視認しづらいことには変わりない。
【００１１】
そこで、この発明はこのような従来の課題を解決したものであって、特に目視による確認ではなく、音によって施錠状態を確認できるようにすることで、施錠忘れを確実に防止できるようにした窓施錠装置を提案するものである。
【課題を解決するための手段】
【００１２】
上述の課題を解決するため、請求項１に記載したこの発明に係る窓施錠装置は、引き違い窓の一方の窓の窓枠に取り付けられると共に、進退自在なデッドボルトを有する施錠装置本体と、上記引き違い窓の他方の窓のガラス面に取り付けられ、上記施錠装置本体から突出した上記デッドボルトと係合することで上記引き違い窓の施錠を行う受座とからなる窓施錠装置であって、
上記施錠装置本体は、
上記デッドボルトの進退動作を司る施錠機構部と、
上記施錠機構部を作動させる操作部と、
上記操作部の操作に関連した操作音、施錠状態における警戒中に発する警報音および上記引き違い窓が開いているときの施錠忘れを報知するための報知音をそれぞれ発する音発生部と、
上記引き違い窓の開閉状態を検知する窓開閉検知部と、
上記操作部、窓開閉検知部からの信号に基づいて上記施錠機構部および音発生部を制御する制御部とを備え、
上記制御部では、
上記デッドボルトが上記受座に係合した状態で上記操作部が操作されると、上記デッドボルトを後退させて上記引き違い窓を解錠すると共に、上記音発生部から報知音を発する解錠モードとなり、
上記解錠モードにあるときで上記操作部が操作されたときに、上記窓開閉検知部が上記引き違い窓の閉じ状態を検知したときには、上記デッドボルトを突出させて上記引き違い窓を施錠すると共に、上記警報音を発報可能な状態に遷移させる施錠モードとなり、
上記解錠モードにあるときで上記操作部が操作されたときに、上記窓開閉検知部が上記引き違い窓の開状態を検知したときには、上記デッドボルトを突出させることなく上記報知音の発報を停止する報知音停止モードとなるように、上記施錠機構部および音発生部を制御することを特徴とする。
【００１３】
また、請求項２に記載したこの発明に係る窓施錠装置では、上記制御部において、
上記報知音停止モードにあるときで上記操作部が操作されたときに、上記窓開閉検知部が上記引き違い窓の閉じ状態を検知したときには、上記デッドボルトを突出させて上記施錠モードに遷移し、
上記窓開閉検知部が上記引き違い窓の開状態を検知したときには、上記報知音停止モードを維持する制御がなされることを特徴とする。
【００１４】
この発明では、解錠したあとの施錠忘れを防止するため、報知音を利用する。
引き違い窓を解錠して、引き違い窓を開けることで室内からベランダに出たり、庭に降りることができるが、この解錠モードのときに施錠忘れであることを促す報知音を発報する発報状態に遷移する。
【００１５】
この解錠モードになると、一定の間隔で報知音を自動発報する。報知音の発報によって、解錠状態となっていることを気付くので、解錠状態のままや、引き違い窓を開けたままの状態で放置したり、外出してしまったりする、施錠忘れがなくなる。
【００１６】
解錠モードのときには報知音が自動発報されるので、施錠しない限りこの報知音が鳴り続けることになるが、ユーザの意思で止めることもできる。その場合には引き違い窓は開いているのが普通であるから、解錠モードのときに操作部を操作した際に、引き違い窓が開いているときは、報知音の発報を止めるモード（報知音停止モード）に遷移する。
【００１７】
報知音停止モードとなっているときで、施錠したいときは引き違い窓を閉じて操作部を操作することになるから、この場合には引き違い窓が閉じていることを検知することで施錠モードに遷移する。
【００１８】
施錠モードになると、警報音を発報する警戒モードに遷移する。施錠が正常状態であるか、異常状態であるかは、複数の検知手段によって検知する。検知手段としては、窓開閉検知センサ、施錠検知センサ、駆動電池のケースカバーの検知センサなどが利用される。窓開閉検知センサは、引き違い窓の開閉状態を検知する。施錠検知センサは受座にデッドボルトが係合しているかどうかを検知する。ケースカバーの検知センサは、施錠装置本体に電池を収納するためのケースカバーが外されたかどうかを検知する。
【００１９】
施錠モードで引き違い窓が割られて、受座からデッドボルトが強制的に外されたり、引き違い窓を強制的に開けられたりすると、その状態がそれぞれの検知センサによって検知される。このとき警戒用の警報音が鳴るので、異常状態を発報できる。また、引き違い窓を割って施錠装置本体から電池を抜いたときには、ケースカバーが外されたことが検知されるので、同じく警報音が鳴る。
【発明の効果】
【００２０】
この発明では、デッドボルトが受座に係合した状態で操作部が操作されると、デッドボルトを後退させて引き違い窓を解錠すると共に、音発生部から報知音を発する解錠モードに遷移するようにしたものである。
【００２１】
この解錠モードに遷移すると、一定間隔で報知音が発報されるので、厚いカーテンなどが引かれていたとしても、施錠忘れを気付かせることができ、引き違い窓に対する施錠忘れを確実に防止できる。
【図面の簡単な説明】
【００２２】
【図１】この発明に係る窓施錠装置の使用状態の一例を示す要部斜視図である。
【図２】この発明に使用される受座の一例を示す平面図である。
【図３】そのＡ−Ａ線上の断面図である。
【図４】施錠機構部のうち施錠ユニットの一例を示す上面図である。
【図５】施錠装置本体の一例を示すである。
【図６】窓施錠装置の使用状態の一例を示す斜視図である。
【図７】受座のガラス面への取り付け状態を示す図である。
【図８】そのＢ−Ｂ線上の断面図である。
【図９】制御部に関連した施錠関連処理を実現するためのブロック図である。
【図１０】窓施錠装置の施錠動作の一例を示すフローチャートである。
【発明を実施するための形態】
【００２３】
続いて、この発明に係る窓施錠装置の好ましい実施例を図面を参照して詳細に説明する。
【実施例１】
【００２４】
以下に示す実施例は、引き違い窓に適用した場合である。図１に示すようにこの窓施錠装置１０は、従来と同じく引き違い窓８０のうち一方の窓（内側窓）ＲＷの窓枠ＲＦ側に取り付けられる施錠装置本体１０Ａと、他方の窓（外側窓）ＬＷであって、施錠装置本体１０Ａと対峙する窓枠ＬＦ側のガラス面に取り付けられる受座１０Ｂとで構成される。
【００２５】
図２は窓施錠装置１０のうち受座１０Ｂの一例を示す。この受座１０Ｂは上下に細長い長方形プレート型部品であり、上下中央でかつ中心よりも一方（図２においては右側）へ変位した位置に方形のマグネット取り付け穴２が形成されている。
【００２６】
マグネット穴２には方形のマグネット（例えば、フェライトマグネットやネオジウムなどの希土類マグネット）５が埋め込まれる。フェライトマグネット５は引き違い窓８０（図６参照）の開閉状態を検知するためのものである。
【００２７】
フェライトマグネット穴２の上下には対称に一対のストライク穴３，４が配置されている。ストライク穴３，４は後述するデッドボルト１６（図４参照）に対する係合穴として機能する。一対のストライク穴３，４を用意したのは、引き違い窓が左用と右用とが存在するので、これに合わせて受座１０Ｂの上下を反転させて使用できるようにしたものである。つまり、受座１０Ｂを共用できるようにするためである。
【００２８】
マグネット取り付け穴２と上下一対のストライク穴３，４を形成した右側部分は左側部分よりも厚さが厚くなっていて、全体の厚さは窓枠表面と窓ガラス表面との段差よりもやや薄く、受座１０Ｂを窓ガラスへ取り付けた場合に引き違い窓８０の開閉に支障を来さないようにしてある。
【００２９】
図３に示すように、ストライク穴３，４の上下両端壁面はそれぞれ受座１０Ｂの底面に向かって末広がりとなる傾斜面３ａ，４ａとなっており、傾斜面３ａ，４ａとストライク穴３，４の内部底面との間に受座底面へ貫通する溝６が形成されている。
【００３０】
受座１０Ｂの底面には溝６のそれぞれから受座側面に達する細い排水溝７が形成されている。受座１０Ｂは図６に示すように窓ガラスＬＧの表面に直接接着されて使用されるので、窓ガラスＬＧの熱割れを防止するために、その素材は金属ではなく、高強度プラスチックが用いられている。
【００３１】
図４および図５は窓施錠装置１０の一例を示す。窓施錠装置１０は受座１０Ｂに対応した施錠装置本体１０Ａを有する。施錠装置本体１０Ａ内には図５に示すように施錠機構部２０と、施錠機構部２０に対する主として施錠および解錠を制御する制御部（ＣＰＵ）３０さらに施錠装置本体１０Ａの駆動電源部４０が内蔵されている。
【００３２】
制御部３０には音発生部９０（図９参照）が関連されている。音発生部９０からは、操作部としての操作ボタン７０の操作に関連した操作音を始めとして、施錠状態での警報音や引き違い窓８０が開いているときの報知音をそれぞれ発する。したがって、音発生部９０にはスピーカや圧電素子などが設けられているが、この音発生部９０は図５には図示されていない。
【００３３】
施錠機構部２０は、図５に示すようにデッドボルト１６からなる施錠ユニット（施錠機構）２０Ａと、その駆動機構部２０Ｂとで構成され、受座１０Ｂのうちフェライトマグネット５と対峙する駆動機構部２０Ｂ側には窓開閉検知センサ２２が設けられている。窓開閉検知センサ２２は窓開閉検知部として機能する。
【００３４】
施錠機構部２０の下部には制御部３０が設けられ、施錠機構部２０と制御部３０との間はハーネス５０によって連結される。制御部３０の下部に駆動電源部４０が位置する。駆動電源は電池であるので、この駆動電源部４０は電池収納部となっている。
【００３５】
駆動電源部４０の下端部には電池の交換を行うときに使用されるケースカバー６０が設けられ、ケースカバー６０に関連して、ケースカバー６０の開閉を検知するケースカバー検知センサ（この例ではマイクロスイッチ）６２が設けられている。
【００３６】
ケースカバー検知センサ６２は、引き違い窓８０を施錠した状態でケースカバー６０が開けられたことを検知するためのものである。施錠状態でケースカバー６０を開けることは通常の使用状態では考えられないからである。したがって、施錠状態でのケースカバー６０の開閉は、警戒モードの一態様となる。
【００３７】
施錠機構部２０のうち施錠ユニット２０Ａは、図４に示すように進退自在なデッドボルト（閂）１６を有する。図５に示すように、デッドボルト１６の上下両面には先端が上と下とにそれぞれ曲がったＬ型部１７が取り付けられている。デッドボルト１６の先端部には進退自在な施錠検知センサ１８が配置されている。
【００３８】
駆動機構部２０Ｂは図５に示すように、モータ１２を有し、モータ１２により中間ギア１３ａ，１３ｂを介してウオームギア１３ｃを回転駆動し、ウオームギア１３ｃにセクターギア１４を歯合させ、セクターギア１４と同軸の回動レバー１５を回動させることによって、デッドボルト１６を前進または後退させる進退運動を、このデッドボルト１６に付与している。
【００３９】
施錠装置本体１０Ａのケース表面には図４に示すように、操作部として機能する操作ボタン７０が設けられ、この操作ボタン７０を押すごとにモータ１２が正逆交互に回転し、デッドボルト１６が受座１０Ｂのストライク穴３に係合する図４の突出位置（施錠位置）と、施錠装置本体１０Ａ側に後退する後退位置（解錠位置）に切り替わる。
【００４０】
図６は窓施錠装置１０の実際の使用例（施工例）を示す。図１および図６は右勝手の引き違い窓８０に取り付けた窓施錠装置１０を示し、室外側に位置する左側窓ＬＷの窓ガラスＬＧの室内側の右上隅に受座１０Ｂが貼り付けられる。
【００４１】
室内側の右側窓ＲＷの左側面上部に施錠装置本体１０Ａが取り付けられる。受座１０Ｂは図７にも示すようにストライク穴３，４およびフェライトマグネット５が左側窓ＬＷの右側窓枠ＬＦに接近した姿勢で取り付けられる。
【００４２】
このように受座１０Ｂと施錠装置本体１０Ａとを引き違い窓８０に取り付けると、引き違い窓８０を閉じた状態で上側のストライク穴３がデッドボルト１６と対峙し、フェライトマグネット５が窓開閉検知センサ２２と対峙する。
【００４３】
デッドボルト１６の先端部に配置された施錠検知センサ１８によって、デッドボルト１６の係合状態が検知される。デッドボルト１６がストライク穴３に係合する施錠位置になると、施錠検知センサ１８が押圧されてオン状態となり、そしてデッドボルト１６が後退して非係合状態になる解錠位置になると、施錠検知センサ１８の押圧が解除されてはオフ状態となるから、これによって施錠関連状態（施錠状態および解錠状態）を判別できる。
【００４４】
引き違い窓８０を閉じて施錠装置本体１０Ａに設けられた操作ボタン７０を操作すると（押すと）、デッドボルト１６が後退位置（解錠位置）から前進し、図８の矢印で示すように、その先端が上側のストライク穴３に進入してストライク穴３と係合する突出位置（施錠位置）に至る。これで施錠処理が完了し、引き違い窓８０が施錠される。
【００４５】
デッドボルト１６の進退位置は施錠検知センサ１８によって検知され、デッドボルト１６の後退位置は後退量検知センサ２６によって検知される。
【００４６】
施錠状態になると、施錠検知センサ１８がオン状態に遷移し、またフェライトマグネット５が窓開閉検知センサ２２と対峙するため、窓開閉検知センサ２２がオンして引き違い窓８０の開閉検知状態となる。したがって引き違い窓８０がこじ開けられ、引き違い窓８０が開いた異常状態になると、窓開閉検知センサ２２および施錠検知センサ１８がその異常状態を検知する。
【００４７】
このような複数の施錠関連処理を達成するため、図９に示すように上述した制御部３０には、関連する検知センサからの信号が供給される。この例では、上述したように施錠検知センサ１８，窓開閉検知センサ２２、後退量検知センサ２６、ケースカバー検知センサ６２からの検知出力がそれぞれＣＰＵなどが内蔵された制御部３０に供給される。操作ボタン７０からの操作信号も供給される。
【００４８】
そして、この制御部３０によって上記駆動機構部２０Ｂがコントロールされると共に、各種の施錠関連処理に応じた音を発報する音発生部９０が制御される。
【００４９】
図１０は、制御部３０での制御状態を示すフローチャートである。デッドボルト１６の進退の状態や窓の開閉状態によって幾つかの制御モードに遷移する。
この制御モードでは、操作ボタン７０の操作の都度、操作ボタン７０が操作されたことを確認できる操作音が鳴るようになっているが、図１０のフローチャートにはそのステップは省略されている。順を追って説明する。
【００５０】
図１０のフローチャートにおいて、まず施錠モードへの遷移処理から説明する。ステップ１０１で駆動電池の装着状態が検知される。駆動電池は上述したように施錠装置本体１０Ａに設けられた駆動電源部４０に収納されるが、この駆動電池がないと窓施錠装置１０自体が動作しないからである。
【００５１】
駆動電池が正しく収納されている場合には、ステップ１０２に遷移して操作ボタン７０の操作状態が検知され、操作ボタン７０が操作されたときには、次に引き違い窓８０の開閉状態が検知される（ステップ１０３）。引き違い窓８０の開閉状態は窓開閉検知センサ２２によって検知される。引き違い窓８０が閉じているとき始めて施錠モードに遷移できるから、予め引き違い窓８０の開閉状態を検知することになる。
【００５２】
引き違い窓８０が閉じているときには、次に施錠状態の有無を検知する（ステップ１０４）。施錠状態はデッドボルト１６の先端部に設けられた施錠検知センサ１８によって検知される。デッドボルト１６が受座１０Ｂのストライク穴３に係合しているときは施錠検知センサ１８が受座１０Ｂに当接しているので、オン状態となっている。
【００５３】
したがって、引き違い窓８０が閉じられていて、かつ施錠状態にないとき、つまりデッドボルト１６が施錠装置本体１０Ａ側に後退しているときに、始めて施錠モードに遷移して施錠処理が行われる（ステップ１０５）。施錠処理が行われると、デッドボルト１６が施錠装置本体１０Ａ側から受座１０Ｂ側に進出してデッドボルト１６がストライク穴３に係合する。これで引き違い窓８０が施錠される。
【００５４】
施錠モードに遷移すると警戒モード（監視モード）となる。警戒モードは故意に引き違い窓８０が開けられるのを監視するモードである。警戒モードとして実施例では、施錠状態、引き違い窓８０の開閉状態および駆動電池のケースカバー６０の開閉状態を監視する。
【００５５】
監視手段として施錠状態は施錠検知センサ１８を利用し、引き違い窓８０の開閉は窓開閉検知センサ２２を利用し、そしてケースカバー６０の開閉はケースカバー６０に関連して設けられたケースカバー検知センサ（この例では、マイクロスイッチ）６２を利用する。それぞれから得られる出力状態を監視することで、正常および異常状態を判別する。
【００５６】
そのため、まずステップ１０６で施錠状態が検知され、デッドボルト１６がストライク穴３に係合しているにも拘わらず強制的にデッドボルト１６がストライク穴３から外されたときには、施錠検知センサ１８の出力がオンからオフ状態の出力に反転するので、この出力反転によって異常状態と判別して警報音が発報される（ステップ１０９）。
【００５７】
警報音は威嚇音であって、非常に高い音あるいは大きな音で吹鳴する。これでユーザあるいは近隣に異常状態を報知する。警報音は連続発報であり、所定時間（数分以上）が経過すると自動的に切断する。
【００５８】
施錠状態が正常であるときには、次に引き違い窓８０の開閉状態が検知される（ステップ１０７）。施錠モードのときは引き違い窓８０が閉じられているので、窓開閉検知センサ２２と受座１０Ｂ側のフェライトマグネット５とは対峙しているが、引き違い窓８０が強制的に開けられると、フェライトマグネット５が窓開閉検知センサ２２から離れるので、このオンからオフへの出力反転を異常状態と判別して警報音が発報される（ステップ１０９）。
【００５９】
施錠状態が正常で、引き違い窓８０も閉じられている状態にあるときは、続いてケースカバー６０の開閉状態が判別される（ステップ１０８）。施錠装置本体１０Ａが設置されている近くの窓ガラスＬＧを割り、施錠装置本体１０Ａから駆動電池を抜いた後で、引き違い窓８０を無理矢理開けることが考えられる。
【００６０】
この場合には、施錠装置本体１０Ａのケースカバー６０を外して駆動電池を抜くことになるが、ケースカバー６０にはケースカバー検知センサ６２が当接するように設置されている。ケースカバー６０が外されるとケースカバー検知センサ６２の出力がオンからオフに反転するので、このとき異常状態と判別して警報音が発報される（ステップ１０９）。
【００６１】
以上のような警戒モード中に異常状態が発生し、警報音が発報されると、上述したように警報音は連続して所定時間続く。所定時間は任意に設定できる。この例では３〜５分に設定されている。この警報音によって侵入者は驚き、直ちに退室するものと考えられるから、被害を最小限に留めることができる。
【００６２】
上述では設定時間が経過すると警報音の発報は自動停止するが、ユーザ自身が解除しない限り、つまり施錠モードが続く限り解除されないようにすることも可能である。
【００６３】
施錠モード中での警戒モードの解除は操作ボタン７０が操作されたかどうかによって判別する（ステップ１１１）。
【００６４】
ステップ１１１において、ユーザが操作ボタン７０を操作するときは、ユーザが引き違い窓８０を解錠する意思があると言うことである。
【００６５】
続いて解錠モードについて説明する。ステップ１１１において操作ボタン７０の操作が検知されると、ステップ１０３に遷移する。ステップ１０３では引き違い窓８０の開閉状態が判別される。現在のモードは施錠モードであるので、引き違い窓８０は閉じられているから、ステップ１０４側に遷移する。同じく現在のモードは施錠モードであるので、施錠検知センサ１８の出力はオン状態となっているから、施錠状態と判断してステップ１１２に移る。
【００６６】
操作ボタン７０の操作に即座に応動して解錠することも可能であるが、この実施例では施錠モードにあるときには、ある程度の時間に亘り連続して操作ボタン７０が操作されたときに始めて解錠モードへと遷移する。そのための計測時間がステップ１１２でセットされている。実施例では３秒程度を計測（カウント）する。
【００６７】
この解錠カウント期間内で、操作ボタン７０の操作を中段したり、引き違い窓８０が開けられたりすることも考えられるから、その場合には何れもカウントがリセットされる（ステップ１０２，１０３，１０４）。
【００６８】
ステップ１１２において解錠カウント期間が経過すると、解錠モードとなって解錠処理に遷移し、デッドボルト１６が後退して解錠位置となって引き違い窓８０が解錠する（ステップ１１３）。解錠されると、施錠検知センサ１８の出力はオンからオフに反転する。
【００６９】
解錠モードでは、報知音発報モードが解禁される。報知音発報モードとは、引き違い窓８０の施錠忘れを防止するための報知音を一定間隔で放音するモードである。そのため、解錠されると発報間隔（解錠時間）をステップ１１４でカウントする。発報間隔は数秒から数分以内に設定することができる。この例では１分程度の時間となっている。
【００７０】
設定された発報間隔が経過すると、報知音が自動発報される（ステップ１１５）。報知音は施錠忘れがないように促すものであるから、１回の発報音（１サイクル）としては「ピィー・ピィー・ピィー」のような例えば１秒程度の間隔をおいた断続音（中低音）を数回続けて終わる。
【００７１】
報知音が自動発報されると、この自動発報処理を強制解除するための判別処理を行い、強制解除がない限り再び発報間隔をカウントアップする。そのため、この例では一旦ステップ１０２に戻り、報知音発報モードを強制解除するための処理（操作ボタン７０の操作）を確認する。
【００７２】
操作ボタン７０が操作されず、しかも解錠中の状態であれば（ステップ１１６）、再びステップ１１４に遷移して発報間隔をカウントアップする。したがって、解錠モードであるかぎり報知音が繰り返され、施錠されていない状態のまま放置されていることをユーザに知らせる。
【００７３】
このように解錠モード中であるときには、ユーザがこの自動発報処理を解除しない限り報知音の吹鳴が継続されることになるので、施錠忘れを防止できる。
【００７４】
続いて、解錠モードでの報知音の発報解除処理について説明する。この発報解除処理を行うと報知音停止モードとなる。報知音停止モードへの遷移は、解錠モードでかつ引き違い窓８０が開いていることが条件となる。
【００７５】
そのため、まず解錠モード状態で操作ボタン７０の操作状態を確認する（ステップ１０２）。操作ボタン７０が操作されたときに引き違い窓８０が開いているときには（ステップ１０３）、報知音の発報処理をキャンセルして、報知音停止モードに遷移する（ステップ１１７）。
【００７６】
報知音停止モードに遷移すると、引き違い窓８０が開いていても報知音は発報されない。そのため、報知音を気にすることなく引き違い窓８０を開けて室内からベランダに出て作業をしたり、庭に降りて作業をすることができる。
【００７７】
報知音停止モードのときに施錠を行うには、操作ボタン７０を操作する（ステップ１０２）。施錠するためにはユーザは引き違い窓８０を閉めていることが前提となるため、念のため引き違い窓８０の開閉状態を判別し（ステップ１０３）、さらにデッドボルト１６が後退して解錠位置にあることが確認されたときに（ステップ１０４）、施錠モードとなり、施錠処理が行われる（ステップ１０５）。
【００７８】
報知音停止モードにあるときに、操作ボタン７０を操作した際（ステップ１０２）に、引き違い窓８０が開いている状態であることが検知されると（ステップ１０３）、報知音停止モードがそのまま維持される。このときデッドボルト１６は動作しない。
【００７９】
このように、デッドボルト１６が受座１０Ｂに係合して施錠モードの状態で操作ボタン７０が操作されると、デッドボルト１６を後退させて引き違い窓８０を解錠すると共に、音発生部から報知音を発する解錠モードに遷移する。
【００８０】
また、解錠モードにあるときで操作ボタン７０が操作されたときに、窓開閉検知センサ２２が引き違い窓８０の閉じ状態を検知したときには、デッドボルト１６を突出させて引き違い窓８０を施錠すると共に、警報音を発報可能な状態である施錠モードに遷移する。
【００８１】
そして、解錠モードにあるときで操作ボタン７０が操作されたときに、窓開閉検知センサ２２が引き違い窓８０の開状態を検知したときには、デッドボルト１６を突出させることなく報知音の発報を停止する報知音停止モードに制御することになる。
【００８２】
なお、実施例においては窓施錠装置を左右に開閉する引き違い窓に適用したが、窓施錠装置を水平方向に配置すれば、上下に開閉する上げ下げ窓にも適用できる。
【００８３】
また、施錠装置本体と受座との何れか一方を開閉される側の縁部に、他方を開口部の縁部に設置することで縦開き窓や横開き窓にも適用できることは言うまでもない。
【産業上の利用可能性】
【００８４】
この発明に係る窓施錠装置は引き違い窓の補助錠として適用できる。
【符号の説明】
【００８５】
１０・・・窓施錠装置
１０Ａ・・・施錠装置本体
１０Ｂ・・・受座
１６・・・デッドボルト
１８・・・施錠検知センサ
２０・・・施錠機構部
２０Ａ・・・施錠ユニット
２０Ｂ・・・駆動機構部
２２・・・窓開閉検知センサ
３０・・・制御部
４０・・・駆動電源部
６２・・・ケースカバー検知センサ
７０・・・操作ボタン
８０・・・引き違い窓
ＲＧ・・・内側窓
ＬＧ・・・外側窓
【図１】
2010203190.tif 000003
【図２】
2010203190.tif 000004
【図３】
2010203190.tif 000005
【図４】
2010203190.tif 000006
【図５】
2010203190.tif 000007
【図６】
2010203190.tif 000008
【図７】
2010203190.tif 000009
【図８】
2010203190.tif 000010
【図９】
2010203190.tif 000011
【図１０】
2010203190.tif 000012